(57)【要約】【課題】  無線通信を行う携帯情報端末をユーザに負荷をかける事なく簡単に特定させ、情報処理装置にログインする処理を迅速に完了することである。【解決手段】  コントローラ部２０１は、無線通信により、非接触ＩＤカードに保持されるユーザＩＤを取得して認証する。そして、コントローラ部２０１は、複数の第２の携帯情報端末に各第２の携帯情報端末を特定するための端末ユーザＩＤの取得要求を行う。そして、いずれかの第２の携帯情報端末から取得される各端末ユーザＩＤを非接触ＩＤカードに転送する。そして、コントローラ部２０１は、端末ユーザＩＤの転送後、非接触ＩＤカードから取得するユーザＩＤを第２の携帯情報端末に転送して第２の携帯情報端末を使用可能な状態に遷移させることを特徴とする。【選択図】  図２
2007267370.tif 000002
【特許請求の範囲】
【請求項１】
第１通信装置と通信可能な第１通信手段と、
少なくとも１つ以上の第２無線通信装置の各々と無線通信可能な第２通信手段と、
前記第１通信装置が保持する、前記第２通信手段がデータの送信または受信を行なう第２無線通信装置を特定する為の装置ＩＤを前記第1通信手段を介して前記第１通信装置から取得する取得手段と、
前記取得手段が取得した前記装置ＩＤで特定される第２無線通信装置とデータの送信または受信を行なうよう前記第２通信手段を制御する制御手段と、を備えることを特徴とする情報処理装置。
【請求項２】
更に、前記第１通信手段が前記第１通信装置から受信した第1ユーザＩＤに基づいてユーザ認証を行う認証手段を備え、
前記制御手段は、前記認証手段によるユーザ認証に成功した場合に前記取得手段に前記第１通信装置から装置ＩＤを取得させるよう制御することを特徴とする、請求項１に記載の情報処理装置。
【請求項３】
前記取得手段は更に前記第２通信手段とデータの送信または受信を行う第２無線通信装置を使用可能にするための第２ユーザＩＤを、前記第１通信手段を介して前記第１通信装置から取得し、
前記制御手段は、前記取得手段が取得した前記第２ユーザＩＤを前記取得手段が取得した前記装置ＩＤに対応する第２無線通信装置へ転送するよう前記第２通信手段を制御し、前記第２無線通信装置が前記第２ユーザＩＤを用いた前記第２無線通信装置でのユーザ認証に成功した場合に、前記第２無線通信装置とのデータの送信または受信を行なうよう制御することを特徴とする、請求項１または請求項２のいずれか１項に記載の情報処理装置。
【請求項４】
更に、ユーザへ情報を通知し、ユーザからの操作入力を受け付けるユーザインタフェース手段を備え、
前記取得手段が前記第１通信手段から複数の装置ＩＤを受信した場合、前記ユーザインタフェース手段は前記複数の装置ＩＤに関する情報を前記ユーザに対して通知し、
前記制御手段は前記ユーザインタフェース手段が通知した前記複数の装置ＩＤの内、前記ユーザの操作入力により選択されるいずれかの装置ＩＤに対応する第２無線通信装置とデータの送信または受信を開始するよう制御することを特徴とする、請求項１に記載の情報処理装置。
【請求項５】
更に、ユーザへ情報を通知し、ユーザからの操作入力を受け付けるユーザインタフェース手段を備え、
前記第２通信手段がデータの送信または受信を行う第２無線通信装置を特定する装置ＩＤを前記取得手段が前記第１通信装置から取得できなかった場合、前記ユーザインタフェース手段は装置ＩＤを入力することをユーザに促す旨の通知を行い、
前記制御手段は前記ユーザインタフェースを介して入力された装置ＩＤに対応する第２無線通信装置とデータの送信または受信を開始するよう前記第２通信手段を制御することを特徴とする、請求項１に記載の情報処理装置。
【請求項６】
第１通信装置と通信可能な第１通信手段と、
少なくとも１つ以上の第２無線通信装置の各々と無線通信可能な第２通信手段と、
前記第１通信手段が前記第１通信装置と通信を開始したことに基づいて、前記第２通信手段を介して通信可能な１つ以上の第２無線通信装置の各々から装置を特定する装置ＩＤを取得する取得手段と、
前記取得手段が取得した装置ＩＤのうち、前記第２通信手段とデータの送信または受信を行なう第２無線通信装置に対応する装置ＩＤを特定する特定手段と、
前記第２通信手段が、前記特定手段が特定した前記装置ＩＤに対応する第２無線通信装置とデータの送信または受信を行なうよう制御する制御手段と、を備えることを特徴とする情報処理装置。
【請求項７】
更に、前記取得手段が取得した装置ＩＤを、前記第１通信手段を介して前記第１通信装置へ転送する転送手段を備え、
前記特定手段は、前記転送手段が前記装置ＩＤを転送したことに対する前記第１通信装置からの応答に基づいて前記第２通信手段とデータの送信または受信を行なう第２無線通信装置に対応する装置ＩＤを特定することを特徴とする、請求項６に記載の情報処理装置。
【請求項８】
前記第１通信装置は、前記第２通信手段が通信を行う第２無線通信装置の装置ＩＤを保持し、
前記転送手段が前記装置ＩＤを転送したことに対する前記第１通信装置からの応答は、前記転送手段が転送した前記装置ＩＤの内、前記第１通信装置が保持する装置ＩＤと一致する装置ＩＤであることを特徴とする、請求項７に記載の情報処理装置。
【請求項９】
第１通信装置と通信可能な第１通信手段と、少なくとも１つ以上の第２無線通信装置の各々と無線通信可能な第２通信手段とを有する情報処理装置における無線通信方法であって、
少なくとも１つ以上の第２無線通信装置の中から第２通信手段がデータの送信または受信を行なう第２無線通信装置を特定する装置ＩＤを前記第１通信装置から取得する取得ステップと、
前記取得ステップで取得した装置ＩＤに対応する第２無線通信装置とデータの送信または受信を行なうよう前記第２通信手段を制御する制御ステップと、を備えることを特徴とする無線通信方法。
【請求項１０】
第１通信装置と通信可能な第１通信手段と、少なくとも１つ以上の第２無線通信装置の各々と無線通信可能な第２通信手段とを有する情報処理装置における無線通信方法であって、
前記第１通信手段が前記第１通信装置との通信を開始したことに基づいて、前記第２通信手段を介して通信可能な１つ以上の第２無線通信装置の各々から装置を特定する装置ＩＤを取得する取得ステップと、
前記取得ステップで取得した装置ＩＤの内、前記第２通信手段とデータの送信または受信を行なう第２無線通信装置に対応する装置ＩＤを特定する特定ステップと、
前記特定ステップで特定した前記装置ＩＤに対応する第２無線通信装置とデータの送信または受信を行なうよう前記第２通信手段を制御する制御ステップと、を備えることを特徴とする無線通信方法。
【請求項１１】
第１通信装置と通信可能な第１通信手段と、少なくとも１つ以上の第２無線通信装置の各々と無線通信可能な第２通信手段とを有する情報処理装置における無線通信方法を前記情報処理装置に実行させるためのプログラムであって、前記無線通信方法は、
少なくとも１つ以上の第２無線通信装置の中から第２通信手段がデータの送信または受信を行なう第２無線通信装置を特定する装置ＩＤを前記第１通信装置から取得する取得ステップと、
前記取得ステップで取得した装置ＩＤに対応する第２無線通信装置とデータの送信または受信を行なうよう前記第２通信手段を制御する制御ステップと、を備えることを特徴とするプログラム。
【請求項１２】
第１通信装置と通信可能な第１通信手段と、少なくとも１つ以上の第２無線通信装置の各々と無線通信可能な第２通信手段とを有する情報処理装置における無線通信方法を前記情報処理装置に実行させるためのプログラムで、前記無線通信方法は、
前記第１通信手段が前記第１通信装置との通信を開始したことに基づいて、前記第２通信手段を介して通信可能な１つ以上の第２無線通信装置の各々から装置を特定する装置ＩＤを取得する取得ステップと、
前記取得ステップで取得した装置ＩＤの内、前記第２通信手段とデータの送信または受信を行なう第２無線通信装置に対応する装置ＩＤを特定する特定ステップと、
前記特定ステップで特定した前記装置ＩＤに対応する第２無線通信装置とデータの送信または受信を行なうよう前記第２通信手段を制御する制御ステップと、を備えることを特徴とするプログラム。
【請求項１３】
請求項１１または請求項１２のプログラムを格納したコンピュータが読み出し可能な記憶媒体。
【発明の詳細な説明】
【技術分野】
【０００１】
本発明は、第１無線通信装置と、複数の第２無線通信装置と無線通信可能な情報処理装置、及び無線通信方法に関するものである。
【背景技術】
【０００２】
近年、携帯電話やデジタルスチルカメラ、ノートパソコン、ＰＤＡ等の携帯情報端末に格納された画像データをプリンタ等の画像処理装置でプリントする場合、ケーブル接続による煩雑さを解消すべく提案がなされている。
【０００３】
例えば、ブルートゥース（Ｂｌｕｅｔｏｏｔｈ（登録商標））、IEEE 802.11a/b/g/nなどといった無線ＬＡＮ等の無線通信によりプリンタに接続する方法が提案されている。
【０００４】
これによりＵＳＢやＩＥＥＥ１２８４等の有線Ｉ／Ｆで接続する場合のように、装置の背面に手探りでケーブルを差し込んだり、どこに繋げばよいのかわからず悩んだりすることがなくなった。例えば特許文献１である。
【０００５】
ところが、ＵＳＢやＩＥＥＥ１２８４等の有線Ｉ／Ｆで接続する場合、ケーブル接続を行うことで、どの携帯情報端末とどの画像処理装置を接続するかが明確であった。
【０００６】
しかし、無線通信を用いたシステムの場合、例えばＢｌｕｅｔｏｏｔｈの場合には、通常１０ｍ程度の無線通信が可能であるため、通信可能範囲内に同一の無線通信機能を有する画像処理装置等の通信装置が複数存在する場合がある。このようなケースの場合、どの通信装置と通信したらよいか自動判別が難しいという問題点がある。
【０００７】
これは画像処理装置からみても同様であり、例えば画像処理装置が携帯情報端末にデータを転送しようとした場合、画像処理装置の通信可能範囲内（電波到達範囲内）に同一の無線通信機能を有する携帯情報端末が複数存在するようなケースが想定される。この場合、どの携帯情報処理端末と通信したらよいか自動判別が難しいという問題点がある。
【０００８】
このため、通信装置と無線通信可能な携帯情報端末が複数存在する場合に、通信装置から無線通信可能な携帯情報端末の一覧を通信装置の表示部に表示し、その中からユーザ操作により所望のものを選択する方法が提案されている。例えば特許文献２である。
【０００９】
また、通信装置が過去に通信を確立した携帯情報端末の機器情報を記憶しておき、それらを通信装置の表示部に表示し、その中からユーザ操作により所望のものを選択する方法が提案されている。例えば先にあげた特許文献２である。
【００１０】
また、無線通信装置が通信する携帯情報端末を簡単に特定させる方法として、携帯情報端末の表示部に表示した画像データを読み取り部で読み取る。そして、その画像データと無線通信手段で取得している画像イメージを比較して、これが一致している携帯情報端末を無線通信相手として特定する方法が提案されている。例えば、特許文献３参照である。 
【特許文献１】特開２００４−１８５３８８号公報
【特許文献２】特開２００５−２５２５６４号公報
【特許文献３】特開２００５−９４２０６号公報
【発明の開示】
【発明が解決しようとする課題】
【００１１】
しかしながら、現在、この様な無線を利用したネットワークにおいては、通信可能な範囲にある携帯情報端末が複数あった場合、通信可能な状態にある携帯情報端末一覧を表示部に表示しなければならないという問題があった。
【００１２】
また、通信装置が過去に通信を確立した携帯情報端末一覧を表示部に表示したりして、その中からユーザに選択させているが、この操作を通信ごとに行わなければならないという問題があった。
【００１３】
本発明は、上記の課題を解決するためになされたもので、本発明の目的は、データの送信あるいは受信を行う携帯情報端末を簡単に特定させることができる仕組みを提供することである。
【課題を解決するための手段】
【００１４】
上記目的を達成する本発明の情報処理装置は以下に示す構成を備える。
【００１５】
第１通信装置と通信可能な第１通信手段と、少なくとも１つ以上の第２無線通信装置の各々と無線通信可能な第２通信手段と、前記第１通信装置が保持する、前記第２通信手段がデータの送信または受信を行なう第２無線通信装置を特定する為の装置ＩＤを前記第1通信手段を介して前記第１通信装置から取得する取得手段と、前記取得手段が取得した前記装置ＩＤで特定される第２無線通信装置とデータの送信または受信を行なうよう前記第２通信手段を制御する制御手段と、を備えることを特徴とする。
【００１６】
上記目的を達成する本発明の情報処理装置は以下に示す構成を備える。
【００１７】
第１通信装置と通信可能な第１通信手段と、少なくとも１つ以上の第２無線通信装置の各々と無線通信可能な第２通信手段と、前記第１通信手段が前記第１通信装置と通信を開始したことに基づいて、前記第２通信手段を介して通信可能な１つ以上の第２無線通信装置の各々から装置を特定する装置ＩＤを取得する取得手段と、前記取得手段が取得した装置ＩＤのうち、前記第２通信手段とデータの送信または受信を行なう第２無線通信装置に対応する装置ＩＤを決定する決定手段と、前記第２通信手段が、前記決定手段が決定した前記装置ＩＤに対応する第２無線通信装置とデータの送信または受信を行なうよう制御する制御手段と、を備えることを特徴とする。
【発明の効果】
【００１８】
本発明によれば、データの送信あるいは受信を行う携帯情報端末を簡単に特定させることができる。
【００１９】
また、ユーザが携帯情報端末を情報処理装置と通信を開始させるまでに必要とされるユーザの煩雑な操作を不要とし、ユーザの利便性を向上させる事が出来る。
【発明を実施するための最良の形態】
【００２０】
次に本発明を実施するための最良の形態について図面を参照して説明する。
【００２１】
＜システム構成の説明＞
〔第１実施形態〕
以下、図面を用いて本発明の実施の形態について詳細な説明を行う。
【００２２】
第１実施形態では第１の無線通信機器として例えば個人情報を保持する非接触ＩＤカードを、第２の無線通信機器として、例えば携帯電話やデジタルカメラやＵＳＢメモリなどの携帯情報端末、無線通信機能を備える情報処理装置を含む。なお、情報処理装置は、無線手段にて受信したデータコードを画像データとして変換し印字する画像処理装置１００を含むものとする。画像処理装置１００は、デジタル複写機でもよいし、スキャナ機能を備えていないプリンタ装置であってもよいし、他の電子機器、例えば画像編集処理を行うコンピュータ装置等であってもよい。
【００２３】
図１は、第１実施形態における情報処理装置、携帯情報端末を含む情報処理システムの構成の一例を説明する図である。
【００２４】
図１の情報処理システムは、パーソナルコンピュータ（コンピュータ）１０１、１０２やサーバコンピュータ１０３などが接続された公衆のインターネット網、あるいはＬＡＮに接続された画像処理装置１００がある。
【００２５】
画像処理装置１００の周りには画像処理装置１００と無線通信可能な携帯情報端末（機器Ａ１０４、機器Ｂ１０５、機器Ｃ１０６、機器Ｄ１０７、機器Ｅ１０８）が存在している。
【００２６】
機器Ａ１０４乃至機器Ｅ１０８は、例えば、携帯電話、デジタルカメラ、ノートパソコン、ＰＤＡ、非接触ＩＤカードの一例としてのＦｅｌｉＣａ（登録商標）を内蔵した携帯電話等である。
【００２７】
本実施形態では画像処理装置１００と機器Ａ１０４乃至機器Ｅ１０８の各々との間では、Ｂｌｕｅｔｏｏｔｈあるいは無線ＬＡＮなどの無線通信によって通信が可能となっている。ここで用いられる無線通信は他の無線通信方式でもよい。
【００２８】
非接触ＩＤカード３００もまた画像処理装置１００と無線通信可能であり、ユーザが画像処理装置へログイン（ユーザ認証）するため等に用いられる。非接触ＩＤカードと画像処理装置１００との間の無線通信は、画像処理装置１００と機器Ａ１０４乃至機器Ｅ１０８の各々との間での無線通信とは異なる無線通信手段を用いている。
【００２９】
本実施形態においては非接触ＩＤカードと画像処理装置１００との間ではＦｅｌｉＣａ（登録商標）方式の無線通信を行うものとする。もちろん、他の無線通信手段を用いても良い。
【００３０】
なお、本実施形態において、機器E１０８は、非接触ＩＤカード３００が携帯情報端末内に統合されたものであるものとする。
【００３１】
図２は、図１に示した画像処理装置１００のハードウェア構成を示したブロック図である。本実施形態における画像処理装置１００は、コピー機能、プリンタ機能、ＦＡＸ機能、スキャナ機能を具備した複合機（ＭＦＰ：Multi Function Peripheral）を想定している。
【００３２】
図２において、画像処理装置１００全体の制御を司るコントローラ部２０１には、複数の処理ユニットが接続される。不図示のＣＰＵやＲＯＭなどがコントローラ部２０１内に含まれる。カードリーダライタ部２０２は、ＦｅｌｉＣａ等の非接触ＩＤカードとの無線通信を行う。
【００３３】
表示部２０３は、操作部２０４からの指示を行う為の各種のユーザインタフェース画面を表示する。
【００３４】
無線通信部２０６は、機器Ａ１０４乃至機器Ｅ１０８の各々と無線通信を行うためのインタフェースである。プリンタ部２０７は、図１に示したコンピュータ１０１、１０２や、機器Ａ１０４乃至機器Ｅ１０８などから印刷ジョブや画像データを受信して印刷処理を行う。
【００３５】
また、プリンタ部２０７はスキャナ部２０８が読み取った画像データを印刷する。画像処理部２１０は画像通信部２０９等が受信した画像データに圧縮解凍処理や、回転、変倍等の各種の画像処理を行う。メモリ部２１１は、ＲＡＭ、ハードディスク等を備える。
【００３６】
カードリーダライタ部２０２に、画像処理装置１００にログインするために必要な情報であるログイン情報をあらかじめ記録した非接触ＩＤカード３００を近づけると、非接触ＩＤカード３００内部の非接触ＩＣからユーザＩＤを受信する。
【００３７】
なお、本実施形態では、画像処理装置１００にログインする使用形態を前提として説明するが、ログイン先は画像処理装置１００以外の不図示のディレクトリサーバでも構わない。
【００３８】
この場合、画像処理装置１００はカードリーダライタ部２０２を介して受信したログイン情報を、不図示のディレクトリサーバへ転送する。
【００３９】
また、ユーザの操作により、ログインに必要なユーザＩＤを非接触ＩＤカード３００に送信し、図３に示す非接触ＩＤカード３００内のメモリ部に書き込みを行うことができる。表示部２０３は、ユーザに対しての動作指示を行ったり、印字するべき画像の印字プレビューを表示したりするものであり、例えば液晶パネルなどが挙げられる。
【００４０】
操作部２０４は、ユーザが行いたい動作をキー操作にて選択させるものである。例えば液晶タッチパネルで構成することで、表示部２０３と操作部２０４とを一体構成とすることもできる。表示部２０３と操作部２０４とによって、ユーザインタフェース手段を実現することができる。
【００４１】
無線通信部２０６は、ブルートゥース、無線ＬＡＮなどの無線通信方式により、携帯情報端末等の無線通信機器とデータ通信を行うための、アンテナ部、ＲＦ部、ベースバンド部から構成される。
【００４２】
本実施形態においては、カードリーダライタ部２０２を介した通信よりも、無線通信部２０６を介した通信の方が単位時間により大きなデータを転送することが可能であるものとする。
【００４３】
プリンタ部２０７は電気的な画像信号を記録紙上に可視像としてプリントする。プリンタ部２０７は、レーザビームプリンタやインクジェットプリンタにより構成される。
【００４４】
スキャナ部２０８は、原稿画像を光学的に読み取って電気的な画像信号に変換するための、イメージセンサ、読み取り駆動部、光源点灯制御部等により構成される。
【００４５】
そして、スキャナ部２０８の読み取り駆動部によって駆動されるイメージセンサによって原稿全体がスキャンされる際、読み取り点灯制御部によってイメージセンサ内部のＬＥＤ等の光源が点灯するよう制御される。そして、同時にイメージセンサ内部のフォトセンサが原稿画像を光学的に読み取って、電気的な画像信号に変換する。
【００４６】
画像通信部２０９は外部機器とのデータの送受を行う。画像通信部２０９は、インターネット網やＬＡＮに接続したり、公衆電話回線に接続してＦＡＸ通信を行ったり、ＵＳＢ  Ｉ／ＦによりＰＣ（Ｐｅｒｓｏｎａｌ  Ｃｏｍｐｕｔｅｒ）と接続する。無線通信部２０６が無線通信のためのインタフェースであるのに対し、画像通信部２０９は有線通信のためのインタフェースである。画像通信部２０９は画像データ以外のデータの通信も可能である。
【００４７】
画像処理部２１０は、画像データに対する画像処理を行うブロックである。画像処理部２１０の読み取り画像処理は、スキャナ部２０８から受信した画像データにシェーディング補正等を施し、ガンマ、２値化、中間調、そしてＲＧＢからＣＭＹＫ等の色変換等の処理を行う。
【００４８】
また、画像処理部２１０は、画像データをプリンタ部２０７の記録解像度に合わせて解像度変換を行う。さらに、画像の変倍処理、スムージング、濃度補正等の処理を施してレーザビームプリンタ等に出力する。
【００４９】
メモリ部２１１は、例えばＳＤＲＡＭやＨＤＤなどのメモリデバイスであり、画像データを一時的に格納するだけでなく、画像処理装置１００の機能を実現する為にコントローラ部２０１が使用する制御プログラムや、データなどを格納する。
【００５０】
コントローラ部２０１は、画像処理装置１００全体の制御を司る部分である。コントローラ部２０１はプリンタ部２０７やスキャナ部２０８をはじめとする各ブロックと電気的に接続されており、高度な機能を実現する為の制御を行っている。
【００５１】
例えば、スキャン機能を実現する為に、コントローラ部２０１はスキャナ部２０８を制御して、原稿の画像データを読み込み、プリンタ部２０７を制御して画像データを記録用紙に出力してコピー機能を提供する。
【００５２】
また、コントローラ部２０１は、スキャナ部２０８から読み取った画像データを画像通信部２０９を通してネットワークへ送信するスキャナ機能を提供する。また、コントローラ部２０１は、ネットワーク等から画像通信部２０９を介して受信したコードデータを画像データに変換し、プリンタ部２０７に出力するプリンタ機能を提供する。
【００５３】
また、カードリーダライタ部２０２で非接触ＩＤカード３００から受信したユーザＩＤを使用し画像処理装置１００にログインしたり、無線通信部２０６が無線通信可能な携帯情報端末の一覧を表示部２０３にリストとして表示させたりする制御を行う。
【００５４】
また、コントローラ部２０１は、画像処理装置１００の状態に応じて無線通信部２０６の通信性能を制御する。このような制御を実現するために、コントローラ部２０１内には不図示のＣＰＵ（Ｃｅｎｔｒａｌ  Ｐｒｏｃｅｓｓｉｎｇ  Ｕｎｉｔ）が設けられている。
【００５５】
図３は、図２に示したカードリーダライタ部２０２と通信可能な非接触ＩＤカード３００のハードウェア構成を示すブロック図である。
【００５６】
ここで、非接触ＩＤカードとは、外部からの電波を受信する事で、ループアンテナを介して得られた誘起電力を利用して非接触ＩＤカード内部にある非接触ＩＣチップが無線通信によるデータの送受を行うものである。また、非接触ＩＣチップは例えばＲＦＩＤ（Ｒａｄｉｏ  Ｆｒｅｑｕｅｎｃｙ  Ｉｄｅｎｔｉｆｉｃａｔｉｏｎ）やミューチップなどを含む。
【００５７】
非接触ＩＤカードは本実施形態においての便宜上の呼び方であり、例えばユーザＩＤ等を保持するメモリ部を具備し、外部からの電波を利用して無線通信を行うものの総称である。この構成を持っていれば、カードの形態であるかどうかは問題ではなく、例えば携帯電話などの形態をとってもよい。
【００５８】
本実施形態における非接触ＩＤカード３００の各部について、図３を参照しながら詳細な説明を行う。
【００５９】
図３において、制御部３０１は、ＲＯＭ３０４に格納されている制御プログラムを実行し、非接触ＩＤカード３００全体の動作を制御する。制御部３０１内には不図示のＣＰＵを備えている。データ送受信部３０３はアンテナ部３０２を介して送受信する電波に含まれるデータの入出力を行う。
【００６０】
ＲＯＭ３０４は非接触ＩＤカード固有の情報やプログラムが記憶されている。メモリ部３０５はデータ送受信部を介して入出力するデータを記憶する。メモリ部３０５には、後述する携帯端末ＩＤや、携帯端末ＩＤに関連付けられたユーザ情報（ログイン名とパスワード）を記憶している。
【００６１】
非接触ＩＤカード３００の動作としては、例えばデータ送受信部３０３において画像処理装置１００のカードリーダライタ部２０２から発せられた携帯端末ＩＤを含んだ電波を受信する。
【００６２】
そして、受信した端末ＩＤに応答して制御部３０１は非接触ＩＤカード３００のメモリ部３０５に格納されている携帯情報端末ＩＤに対応したユーザＩＤをデータ送受信部３０３から送信するように制御を行う。
【００６３】
また、データ送受信部３０３は端末ＩＤとユーザＩＤを受信した場合、制御部３０１はこれを登録情報としてメモリ部３０５に書き込む制御を行う。
【００６４】
以下、本実施形態では、非接触ＩＤカード３００は画像処理装置と微弱な電波による無線通信を行うものとして説明するが、非接触ＩＤカードの代わりに接触型ＩＤカードを用いても構わない。その場合、画像処理装置１００のカードリーダライタ部２０２は接触型ＩＤカード用のリーダライタを用いればよい。
【００６５】
以下、本実施の形態における第２の無線通信機器４００の一例であるデジタルカメラの構成について、説明する。
【００６６】
図４は、本実施形態を示す第２の無線通信機器４００の構成を説明するブロック図である。本例は、第２の無線通信機器の一例としてデジタルカメラを示す。
【００６７】
図４において、コントローラ部４０１は、ＲＯＭ４０６に格納されている制御プログラムを実行し、デジタルスチルカメラ全体の動作を制御する。コントローラ部４０１内には不図示のＣＰＵが備えられている。
【００６８】
無線通信部４０５は、Ｂｌｕｅｔｏｏｔｈ、無線ＬＡＮなどの無線通信手段により外部の機器とのデータ通信を行う部分である。無線通信部４０５を用いて通信を行うデータとしては、カメラ部４１０で撮影した画像データなどである。
【００６９】
表示部４０３は、メモリ部４０２に格納されている画像データを表示する例えばＬＣＤ表示部などである。操作部４０４はデジタルカメラを操作するための各種スイッチで構成されている。
【００７０】
カメラ部４１０は、被写体を撮影してデジタル画像を生成する撮像ユニットで構成されている。カメラ部４１０で撮影された被写体画像はデジタル画像データに変換され、メモリ部４０２に格納される。また、メモリ部４０２、あるいはＲＯＭ４０６にはデジタルカメラの使用を許可されているユーザを特定するユーザＩＤが格納されている。なお、メモリ部４０２には、画像データを特定のファイルフォーマット（ＤＰＯＦ）に従って格納することで、印刷処理条件を設定可能なものであってもよい。
【００７１】
デジタルカメラは、例えば無線通信部４０５が画像処理装置１００から送信されたユーザＩＤを受信した場合に、そのユーザＩＤがメモリ部４０２あるいはＲＯＭ４０６に格納されたユーザＩＤと一致するか否かをコントローラ部４０１で判断する。
【００７２】
そして、コントローラ部４０１はユーザＩＤが正当であると判断した場合、デジタルカメラを使用可能なログイン状態へと移行させる制御を行う。また、外部装置からのデータ送受要求を無線通信部４０５で受信した場合は、送受要求に基づいて画像データを送受したりする制御を行う。
【００７３】
図４ではデジタルカメラを無線通信機器の一例として示したが、無線通信機器はデジタルカメラ以外に、携帯電話やＰＤＡやノートパソコンなどの端末であっても良い。機器の種類によって図４の構成と若干異なる部分もあるが、コントローラ部４０１乃至ＲＯＭ４０６の構成は機器の種類が異なった場合でも共通である。
【００７４】
図５は、本実施形態における第１の無線通信機器と第２の無線通信機器が統合された無線通信機器１０００の一例であるＦｅｌｉＣａ内蔵携帯電話の構成を説明するブロック図である。図１における機器Ｅ１０８が図５の構成を備えている。
【００７５】
図５に示す無線通信機器１０００の構成は、図４に示した構成に加えてデータ送受信部４０７、アンテナ部４０８、電話部４２０がコントローラ部に接続されている。以下、図４と同じ構成については同じ符号を付し、その説明を省略する。
【００７６】
データ送受信部４０７は、図３に示した非接触ＩＤカードが備えるデータ送受信部３０３と同様の構成で、非接触ＩＣチップを用いた無線通信によるデータ送受信を可能にする。非接触ＩＣチップはアンテナ部４０８とデータ送受信部４０７で構成される。アンテナ部４０８も図３に示した非接触ＩＤカードが備えるアンテナ部３０２と同様で、非接触ＩＣチップによる無線通信で用いられる電波の送受信を行う。
【００７７】
無線通信機器１０００は、データ送受信部４０７において画像処理装置１００のカードリーダライタ部２０２から発せられた携帯情報端末ＩＤを含んだ電波をアンテナ部４０８を介して受信する。コントローラ部４０１はメモリ部４０２に格納されている携帯情報端末ＩＤに対応したユーザＩＤをデータ送受信部４０７から送信するように制御を行う。
【００７８】
また、データ送受信部４０７が送信されてきた携帯情報端末ＩＤとユーザＩＤを受信した場合、コントローラ部４０１はこれを登録情報としてメモリ部４０２に書き込む制御を行う。
【００７９】
本実施の形態における処理動作について、図６乃至図８のフローチャートを用いて説明する。
【００８０】
図６乃至図８は、本実施形態を示す情報処理システムにおける第１のデータ処理手順の一例を示すフローチャートである。
【００８１】
ここで、図６乃至図８のフローチャートに示される各ステップは、画像処理装置１００、あるいは、非接触ＩＤカード３００、あるいは非接触ＩＤカードを内蔵した無線通信機器１０００の何れかが実行する。
【００８２】
まず、ユーザはスタンバイ状態の画像処理装置１００のカードリーダライタ部２０２に、ユーザ自身に発行されている自分の非接触ＩＤカード３００を近づける（Ｓ５０１）。ここで、非接触ＩＤカード３００の代わりに、非接触ＩＤカードを内蔵した無線通信機器１０００を用いてもよい。以下、非接触ＩＤカード３００を用いた場合を前提に各ステップを説明するが、無線通信機器１０００に置きかえてもよい。
【００８３】
ここで、カードリーダライタ部２０２からは常に画像処理装置１００のＩＤを示す端末ＩＤを含んだ微弱な電波が出されている。
【００８４】
この微弱な電波はアンテナの特性などの通信環境に左右されるものであるが、その通信可能距離は例えば１０センチメートル程度とする。非接触ＩＤカード３００がカードリーダライタ部２０２と通信可能な範囲内に近づくと、微弱な電波を受信して起動した非接触ＩＤカード３００内のＩＣチップが、無線通信により電波に含まれる端末ＩＤを取得する。
【００８５】
そして、非接触ＩＤカード３００内に記憶されているユーザＩＤをデータ送受信部３０３、アンテナ部３０２を介して画像処理装置１００へ送信する。ここで、ユーザＩＤとは、例えば画像処理装置１００を使用可能状態へと遷移させることが出来るログイン名とパスワードである。
【００８６】
次に、Ｓ５０２において、画像処理装置１００は、非接触ＩＤカード３００から送信されたユーザＩＤをカードリーダライタ部２０２で受信したか否かを判定する。ユーザＩＤを受信したと判定した場合はＳ５０３へ進む。そうでない場合は、Ｓ５０２でユーザＩＤの受信を待機する。そして、Ｓ５０３において、コントローラ部２０１は、非接触ＩＤカード３００から受信したユーザＩＤが正しいかどうかの判断を行う。
【００８７】
なお、ユーザＩＤの正否判断を行うため、正当なユーザＩＤがあらかじめメモリ部２１１に保持されている。そして、受信したユーザＩＤとメモリ部２１１に保持されているユーザＩＤとを照合することで受信したユーザＩＤの正否判断を行う。
【００８８】
ここで、コントローラ部２０１が非接触ＩＤカード３００から正しいユーザＩＤを受信できないと判断した場合、コントローラ部２０１は、ユーザＩＤを操作部２０４よりユーザがキー操作にて入力するよう促す表示を表示部２０３に行う（Ｓ５０５）。そして、Ｓ５０３に戻る。
【００８９】
Ｓ５０５からＳ５０３へ処理が遷移した場合、Ｓ５０３では操作部２０４でのキー操作により入力されたユーザＩＤが正しいか否かを判断する。Ｓ５０３で非接触ＩＤカード３００から正しいユーザＩＤを受信できないと判断した場合、エラーであると判断してＳ５０５に進まずに本フローチャートを終了しても良い。
【００９０】
一方、Ｓ５０３で、ユーザＩＤが正しい（ユーザ認証成功）と判断された場合、コントローラ部２０１は画像処理装置１００を使用できる状態（ログイン状態）へと移行させる（Ｓ５０４）。
【００９１】
Ｓ５０４において、非接触ＩＤカード３００の代わりに無線通信機器１０００に内蔵される非接触ＩＣチップが画像処理装置１００と微弱な電波を用いた通信を行ってログインを行った場合について説明する。
【００９２】
この場合、無線通信機器１０００の無線通信部４０５はまだ画像処理装置１００と通信可能でない場合もある。そのような場合には、Ｓ５０４で無線通信部４０５は画像処理装置１００と無線ＬＡＮ等による通信を開始する。その際、無線ＬＡＮなどによる無線通信を行うために必要な情報は非接触ＩＣチップを用いた微弱な電波による無線通信を用いて互いに送受信して取得する。
【００９３】
次に、画像処理装置１００の無線通信部２０６は、無線通信範囲内に無線通信可能な携帯情報端末があるかどうかを検索するために、携帯情報端末を特定するＩＤ（以下、携帯端末ＩＤという）を携帯情報端末に対して要求する（Ｓ６０１）。なお、Ｓ６０１は、Ｓ５０１〜Ｓ５０４に基づく通信を開始したことに基づいて開始される通信である。
【００９４】
具体的には、例えば、画像処理装置１００の無線通信部２０６がIEEE 802.11a/b/g/nなどといった無線ＬＡＮによる無線通信を行っている場合、ブロードキャスト等の手法によってＳ６０１の処理を行う。図１の例で説明すると、画像処理装置１００は機器Ａ１０４乃至機器Ｅ１０８に対して携帯端末ＩＤを要求することになる。
【００９５】
画像処理装置１００から携帯情報端末に送信される端末ＩＤ送信要求に応答して、携帯情報端末は携帯端末ＩＤを画像処理装置１００に送信する。画像処理装置１００のコントローラ部２０１は、受信した１つ以上の携帯端末ＩＤをカードリーダライタ部２０２から非接触ＩＤカード３００へと送信する（Ｓ６０２）。これは、無線通信部２０６で受信した携帯端末ＩＤが非接触ＩＤカード３００内のメモリ部に登録されているかを知る為である。
【００９６】
非接触ＩＤカード３００の制御部３０１は受信した携帯端末ＩＤがメモリ部３０５に登録されているかどうかを判断する（Ｓ６０３）。ここで、携帯端末ＩＤが登録されていると制御部３０１が判断した場合は、Ｓ７０４（図７）へ進む。
【００９７】
一方、Ｓ６０３で、制御部３０１が受信した携帯端末ＩＤが登録されていないと判断した場合には、Ｓ６０４へ進む。
【００９８】
Ｓ６０４では、制御部３０１は、受信した端末ＩＤが非接触ＩＤカード３００に登録されていないことを画像処理装置１００へ通知する。そしてＳ６０５へ進む。
【００９９】
Ｓ６０５では、コントローラ部２０１はユーザに対して表示部２０３にユーザが画像処理装置１００との通信を開始したい携帯情報端末を使用するためのログイン名とパスワード（ユーザＩＤ）の入力を促すユーザインタフェースを表示をするように制御を行う。携帯情報端末を使用するためのログイン名とパスワードとは、予め携帯情報端末（機器Ａ１０４乃至機器Ｅ１０８の）のＲＯＭ４０６などに記憶している、携帯情報端末を特定のユーザのみが使用可能にするための情報である。本実施形態では、携帯情報端末を使用するためのログイン名とパスワードは、図６のＳ５０１〜Ｓ５０５で画像処理装置１００にログインするために用いるログイン名とパスワードとは異なるものとする。なお、ログイン名を用いずにパスワードだけでも良い。
【０１００】
ユーザが上記表示部２０３に対する表示に従い、操作部２０４から携帯情報端末へログインするためのログイン名とパスワードを入力し、画像処理装置１００はユーザの入力を受け付ける（Ｓ６０６）。画像処理装置１００は、表示部２０３に表示するユーザインタフェースを介して無線通信可能な携帯情報端末一覧を表示する。ユーザは、その一覧表示中からユーザが所望する通信相手の携帯情報端末を操作部２０４からの指示で選択すると、画像処理装置１００はユーザによる端末選択指示を受け付ける（Ｓ６０７）。表示部２０３に表示される携帯情報端末の一覧は、Ｓ６０１で検索した結果、携帯端末ＩＤの応答を受信したものが表示される。なお、Ｓ６０７とＳ６０６の順番は逆でも良い。なお、ユーザインタフェースは、ユーザへ情報を通知し、ユーザからの操作入力を受け付ける機能を有する。
【０１０１】
次に、無線通信部２０６は入力されたログイン名とパスワードとをユーザがＳ６０７で選択した携帯情報端末に送信する（Ｓ６０８）。
【０１０２】
Ｓ６０６で入力されたログイン名とパスワードを画像処理装置１００から受信した携帯情報端末は、ログイン名とパスワードを照合し、正当なものであればログイン状態へと移行することが可能となる（Ｓ６０９）。Ｓ６０６で、携帯情報端末が受信したログイン名とパスワードが正当なものでないと判定した場合には本フローチャートを終了する。
【０１０３】
更に、コントローラ部２０１は、表示部２０３にログインを行った携帯情報端末の携帯端末ＩＤを非接触ＩＤカード３００に登録を行うかどうかをユーザに選択させる表示を行う（Ｓ６１０）。
【０１０４】
ここで、ユーザが登録を行うと選択した場合、ログインを行った携帯端末の携帯端末ＩＤを、カードリーダライタ部２０２から非接触ＩＤカード３００へと送信する。
【０１０５】
非接触ＩＤカード３００内のＩＣチップは、受信した携帯情報端末ＩＤをメモリ部３０５に書き込み（Ｓ６１１）、図８のＳ７０８へ進む。
【０１０６】
次に、図８のＳ７０４以降の処理について説明する。
【０１０７】
Ｓ７０４では、非接触ＩＤカード３００に登録されている携帯端末ＩＤで特定される携帯端末にログインするためのログイン名とパスワードとを画像処理装置１００に送信する。ここで送信されるログイン名とパスワードは、非接触ＩＤカード３００内のメモリ部３０５に携帯端末ＩＤと関連付けて記憶されている。
【０１０８】
更に、Ｓ６０２で画像処理装置１００から受信した１つ以上の携帯端末ＩＤのうち、非接触ＩＤカード３００に登録されている携帯端末ＩＤが存在することとその携帯端末ＩＤとを画像処理装置１００に通知する。
【０１０９】
そして、画像処理装置１００がカードリーダライタ部２０２を介して、非接触ＩＤカード３００携帯端末ＩＤとログイン名とパスワードとを受信する（Ｓ７０５）。
【０１１０】
画像処理装置１００のコントローラ部２０１は、非接触ＩＤカード３００から受信した携帯端末ＩＤで特定される携帯端末に対して、非接触ＩＤカード３００から受信したログイン名とパスワードとを送信させるよう制御する（Ｓ７０６）。
【０１１１】
ログイン名とパスワードを画像処理装置１００から受信した携帯情報端末は、ログイン名とパスワードを照合し、正当なものであればログイン状態へと移行することが可能となる。携帯情報端末が受信したログイン名とパスワードが正当なものでないと判定した場合には本フローチャートを終了する。
【０１１２】
携帯情報端末がログイン状態に移行した場合、携帯情報端末は画像処理装置１００に対して正常にログインしたことを通知する。画像処理装置１００は携帯情報端末からのログイン完了の通知を受信し、当該携帯情報端末を後にユーザから指示されるジョブを実行する場合におけるデータ送受信相手として認識する（Ｓ７０７）。
【０１１３】
これまでの処理により、ユーザは画像処理装置１００と携帯情報端末とにログインを行ったことになる。また、画像処理装置１００はログインを行った携帯情報端末を特定することが可能になっている。
【０１１４】
この結果、画像処理装置１００は、後にユーザから指定されるジョブを実行する場合に、データの送受信を行うべき携帯情報端末を特定することができる。
【０１１５】
例えば、図１のように機器Ａ１０４乃至機器Ｅ１０８のような複数の機器が画像処理装置１００と通信可能な状態を想定する。この状態において、画像処理装置１００が携帯情報端末から画像データを受信して印刷出力するようなジョブの実行をユーザから指示された場合であっても、画像処理装置１００は画像データの転送を要求すべき携帯情報端末を一意に特定することが可能になる。携帯情報端末へのログインが完了した後、画像処理装置１００は、無線通信相手が携帯情報端末であると認識する。
【０１１６】
そして、携帯情報端末のメモリ内に画像データが格納されているか否かを判定する（Ｓ７０８）。この判定は、画像処理装置１００が携帯情報端末に対して画像データの有無を問い合わせ、当該問合せに対する携帯情報端末からの応答に基づいて行われる。
【０１１７】
ここで、携帯情報端末のメモリ内に画像データが格納されていない場合は、Ｓ７０９に進む。Ｓ７０９では、画像処理装置１００と携帯情報端末とが連携して実行可能なジョブを示すメニューを画像処理装置の表示部２０３に表示する。
【０１１８】
Ｓ７０９を実行する場合には、携帯情報端末のメモリには画像データが格納されていないので、携帯情報端末から画像処理装置１００に画像データを転送する処理を伴うジョブはメニューには表示しない。例えば、「携帯情報端末のデータ印字」というようなジョブは表示しない。
【０１１９】
一方、画像処理装置１００から携帯情報端末へ画像転送するようなジョブは表示する。携帯情報端末のメモリ内に画像データが含まれているか否かを判定することで、実行可能なジョブのみを選択可能にするように表示部２０３に表示する。
【０１２０】
これにより、実行できないジョブをユーザが指定してしまうことを防止することができる。
【０１２１】
図９は、Ｓ７０９における画像処理装置１００の表示部２０３への表示例を示す。図９は表示部２０３がタッチパネルによって構成されており、表示部２０３と操作部２０４の両者の機能を有している（図１０、図１１の表示例も同様）。
【０１２２】
図９に示す表示では、画像処理装置１００の表示部２０３にはメニューとして、「携帯情報端末へデータ送信（download）」ボタン１１０２が表示されている。
【０１２３】
一方、ユーザがボタン１１０２を押下して実行ボタン１１０４を押下すると、ジョブを実行するためのより詳細な設定を行うための表示画面に切り替わる。戻るボタン１１０６を押下すると、ボタン１１０２を押下する前の表示画面に戻る。
【０１２４】
一方、Ｓ７０８において、携帯情報端末のメモリ内に画像データが格納されている場合には、Ｓ７１０へ進み、画像処理装置１００の表示部２０３に実行可能なジョブを示すメニューを表示する（Ｓ７１０）。
【０１２５】
図１０にＳ７１０における画像処理装置１００の表示部２０３の表示例を示す。Ｓ７１０を実行する場合には、携帯情報端末のメモリ内に画像データが格納されているので、図９のような表示に加えて、携帯情報端末から画像処理装置に対して画像データを転送する処理を伴うジョブをメニューに表示する。図１０において図９と同じボタンについては同じ符号を付し、説明を省略する。
【０１２６】
「携帯情報端末のデータ送信」ボタン１２０４は、携帯情報端末に記憶されている画像データを画像処理装置が受信し、当該画像を画像処理装置１００が備える送信機能を用いて、ＦＡＸ、電子メールなどで送信するというジョブを指示するためのボタンである。
【０１２７】
「画像処理装置へデータを送信（upload）」ボタン１２０６は、携帯情報端末から画像処理装置１００へ画像データを転送し、画像処理装置１００のメモリ部２１１へ格納するというジョブを指示するためのボタンである。
【０１２８】
「携帯情報端末のデータ印字」ボタン１２０８は、携帯情報端末の画像データを画像処理装置が受信して印字出力するというジョブを指示するためのボタンである。ボタン１１０２、１２０４、１２０６、１２０８を押下するとそれぞれ指示されたジョブを実行するためのより詳細な設定を行うための画面に切り替わる。
【０１２９】
図９、図１０の表示画面でユーザが「携帯情報端末へデータ送信」ボタン１１０２を押下し、画像処理装置がボタン１１０２の押下を受け付けると（Ｓ７１１）、Ｓ７１５へ進む。そして、Ｓ７１５では携帯情報端末へ送信（ダウンロード）するための画像データを選択する。
【０１３０】
ここで、ユーザは、画像処理装置１００のメモリ部２１１に記憶されている画像データを選択したり、あるいは原稿画像をスキャナ部２０８で読み取った画像データを送信することを選択するための操作を行い、画像処理装置はユーザの指示を受け付ける。
【０１３１】
一方、図１０の操作画面で、ユーザが「携帯情報端末のデータ送信」ボタン１２０４を押下し、画像処理装置がボタン１２０４の押下を受け付けると（Ｓ７１２）、Ｓ７１６へ進む。そして、Ｓ７１６では、携帯情報端末内の画像データを指定する操作と、画像データの送信宛先として、電話番号や電子メールアドレスを指定する操作を受け付ける。
【０１３２】
一方、図１０の操作画面で、ユーザが「携帯情報端末のデータ印字」ボタン１２０８を押下し、画像処理装置がボタン１２０８の押下を受け付けると（Ｓ７１３）、Ｓ７１７へ進む。そして、Ｓ７１７では、携帯情報端末内の画像データを指定する操作と、画像データを印刷するための詳細な設定（カラー／白黒、用紙選択、フィニッシング）を受け付ける。
【０１３３】
一方、図１０の操作画面で、ユーザが「画像処理装置へデータを送信」ボタン１０６を押下し、画像処理装置がボタン１２０６の押下を受け付けると（Ｓ７１４）、Ｓ７１８へ進む。そして、Ｓ７１８では、携帯情報端末内の画像データを指定する操作と、画像データの保存先として、メモリ部２１１内のディレクトリを指定する操作を受け付ける。
【０１３４】
次に、Ｓ７２０で、画像処理装置１００は、Ｓ７１１乃至Ｓ７１８で受け付けた指示に基づいてジョブを実行する。ここで、画像データの送受信を行う場合の通信相手は、ログインを行った携帯情報端末である。ジョブの実行が完了したらＳ７２１へ進む。
【０１３５】
Ｓ７２１では、画像処理装置１００と非接触ＩＤカード３００とが通信可能かどうかを検出する。通信可能か否かの検出は、非接触ＩＤカード３００と画像処理装置１００とが微弱な電波による通信が可能であるか否かに基づくものとする。Ｓ７２１で通信可能でないと判定した場合、Ｓ７２２へ進む。
【０１３６】
Ｓ７２２では、画像処理装置の表示部２０３に図１１のような画面を表示し、携帯情報端末と画像処理装置１００との間の無線ＬＡＮなどによる通信を継続するか否かをユーザに選択を促す。図１１に示す画面において、ユーザがボタン１３０２を押下した場合、画像処理装置１００と携帯情報端末との間の無線通信は切断し（Ｓ７２３）、本フローを終了する。
【０１３７】
一方、ユーザがボタン１３０４を押下した場合には、画像処理装置１００と携帯情報端末間の無線通信は継続し、Ｓ７０８へ進む。そして更なるジョブの実行が可能になる。Ｓ７２１で通信可能であると判定した場合には、Ｓ７０８へ進む。
【０１３８】
本実施形態によれば、ユーザは非接触ＩＤカード３００を画像処理装置１００に近づけるという操作を行うだけで、画像処理装置１００へのログイン、携帯情報端末を特定する処理を行うことが可能になる。
【０１３９】
更に、携帯情報端末のメモリ内に画像データがあるかないかによって、表示部２０３に表示する実行メニューを自動的に切り替えて表示する事で、ユーザが行いたいジョブの選択をより簡単にすることが可能となる。
【０１４０】
また、本実施形態によれば、画像処理装置１００を使用するためのログインを行う等の為の非接触ＩＤカード３００を用いて、ユーザが使用する携帯情報端末の情報を非接触ＩＤカード３００に登録することが可能となる。
【０１４１】
つまり、無線通信を行う携帯情報端末をユーザに負荷をかける事なく簡単に特定させ、情報処理装置にログインする処理を迅速に完了できる。
【０１４２】
さらに、携帯情報端末の状態によって実行できる処理を簡単に特定させ、実行する事ができる。
【０１４３】
また、携帯情報端末との通信手段を簡単に特定させて、ユーザがその後実行したい処理を事前に特定した通信手段を介して実行する事ができる。
【０１４４】
〔第２実施形態〕
第２実施形態では、無線通信装置が無線通信相手である第２の無線通信機器を特定する為の情報が、第１の無線通信機器に複数登録されていた場合について説明する。
【０１４５】
具体的には、あるユーザが複数の無線通信可能な携帯情報端末を所有しており、それらのうちのいずれかを無線通信装置と通信させたい場合についての実施の形態である。
【０１４６】
本実施形態におけるシステムの全体構成や、画像処理装置、携帯情報端末、非接触ＩＤカードの構成は第１実施形態の実施形態で説明したものと同じであるので説明を省略する。
【０１４７】
本実施の形態における処理動作について、図８のフローチャートを用いて説明する。
【０１４８】
図１２は、第２の実施形態を示す情報処理システムにおけるデータ処理手順の一例を示すフローチャートである。なお、Ｓ８０１〜Ｓ８０７は各ステップを示す。ここで、Ｓ８０１〜Ｓ８０７は、画像処理装置１００、あるいは、非接触ＩＤカード３００、あるいは非接触ＩＤカードを内蔵した無線通信機器１０００の何れかが実行する。
【０１４９】
まず、ユーザは画像処理装置１００のカードリーダライタ部２０２に、第１の無線通信機器として機能する自分の非接触ＩＤカード３００を近づけ、画像処理装置１００へのログインを行う。この、画像処理装置へのログインの処理は図５のフローチャートと同じ手順であるので説明を省略する。
【０１５０】
画像処理装置へのログインが完了したら図８のＳ８０１へ進む。
【０１５１】
次に、画像処理装置１００の無線通信部２０６は無線通信範囲内に無線通信可能な携帯情報端末があるかどうかを検索するために、携帯端末ＩＤを要求する（Ｓ８０１）。この処理は図７のＳ７０１の処理と同じである。
【０１５２】
画像処理装置１００からの要求に応じて、複数の携帯情報端末の少なくともいずれか（図１の機器Ａ１０４乃至機器Ｅ１０８のうち少なくとの１つ）は携帯端末ＩＤをそれぞれ画像処理装置１００に対して送信する。
【０１５３】
なお、携帯情報端末から携帯端末ＩＤが送信されなかった場合には、画像処理装置と無線ＬＡＮなどで通信可能な携帯情報端末が存在しないものと判断して本フローチャートを終了する。
【０１５４】
画像処理装置１００のコントローラ部２０１は、無線通信部２０６で受信した携帯情報端末の携帯端末ＩＤが非接触ＩＤカード３００内のメモリ部３０５に登録されているかを確認する為に、以下の処理を行う。
【０１５５】
つまり、コントローラ部２０１は、受信した携帯情報端末の携帯端末ＩＤをカードリーダライタ部２０２から非接触ＩＤカード３００へと送信する（Ｓ８０２）。
【０１５６】
そして、その他の携帯端末ＩＤを受信しているかどうかをコントローラ部２０１が判断する（Ｓ８０４）。
【０１５７】
ここで、コントローラ部２０１がその他の携帯端末ＩＤを受信していると判断した場合、更に、受信している携帯情端末の携帯端末ＩＤを非接触ＩＤカード３００に送信するため、Ｓ８０２へ戻る。
【０１５８】
そして、非接触ＩＤカード３００は受信した携帯情報端末の携帯端末ＩＤがメモリ部３０５に登録されているかどうかを、制御部３０１が判断する。そして、携帯端末ＩＤがメモリ部３０５に登録されていると制御部３０１が判断した場合は、その携帯端末ＩＤに対応したユーザＩＤ（ログイン名とパスワード）を画像処理装置１００に送信する。
【０１５９】
ここで、本実施形態では、複数の携帯端末ＩＤがメモリ部３０５に登録されているので、それぞれの携帯端末ＩＤと、携帯端末ＩＤに対応したログイン名とパスワードが非接触ＩＤカード３００から画像処理装置１００へ送信されることになる。
【０１６０】
なお、携帯端末ＩＤと、その携帯端末に対応したユーザＩＤ（ログイン名とパスワード）は、非接触ＩＤカード３００内のメモリ部３０５に複数組記憶されている。
【０１６１】
このようにして、Ｓ８０２〜Ｓ８０４までを繰り返し、画像処理装置１００は受信したすべての携帯端末ＩＤに対応したユーザＩＤの問い合わせを行う。これにより、非接触ＩＤカード３００に登録されている携帯端末ＩＤと、その携帯情報端末にログインするためのログイン名とパスワードを得ることが出来る。
【０１６２】
なお、Ｓ８０２〜Ｓ８０４のループを繰り返す処理を行わずに以下のような処理を行っても良い。即ち、画像処理装置１００が携帯情報端末からの応答の受信待機し、所定時間の間に応答のあった少なくとも１つ以上の携帯端末ＩＤをまとめて非接触ＩＤカード３００へ送信する。
【０１６３】
そして、１以上の携帯端末ＩＤを受信した非接触ＩＤカード３００はこれら受信した携帯端末ＩＤの内、自身に登録されている携帯端末ＩＤと一致するものがあるか否かをチェックする。
【０１６４】
そして、自身に登録されている携帯端末ＩＤと一致するものがあった場合、その携帯端末ＩＤと、携帯端末ＩＤに対応したログイン名とパスワードを画像処理装置１００へ送信する。
【０１６５】
次に、Ｓ８０５で、画像処理装置１００のコントローラ部２０１は、非接触ＩＤカード３００から受信した携帯端末ＩＤに該当する複数の携帯情報端末の一覧を表示部２０３に表示する。
【０１６６】
ここで、ユーザに無線通信相手としたい携帯情報端末をこの一覧から選択させるように指示を行う。
【０１６７】
次に、Ｓ８０６で、画像処理装置１００のコントローラ部２０１は選択された、例えば携帯情報端末に対して無線通信部２０６からログイン名とパスワードの送信を行う。次に、Ｓ８０７で、ユーザは、選択した携帯情報端末に対してもログインを行い、本処理を終了する。
【０１６８】
この結果、画像処理装置１００と携帯情報端末との間で、画像データのやり取りなどを行う事ができる。
【０１６９】
以上により、第２実施形態である無線通信装置が第１の無線通信機器からの情報を元に、第２の複数の無線通信機器を特定し、その中からユーザが携帯情報端末を選択することで、無線通信装置と第２の無線通信機器へのログインが可能となる。
【０１７０】
第２実施形態によれば、ユーザは携帯情報端末を簡単に特定ことができ、画像処理装置１００と携帯情報端末に対してのログイン操作も、ユーザのキー操作させること無く行うことが可能となる。つまり、無線通信を行う複数の携帯情報端末をユーザに負荷をかける事なく簡単に特定させ、情報処理装置にログインする処理を迅速に完了できる。
【０１７１】
〔第３実施形態〕
以下、図１３に示すメモリマップを参照して本実施形態に係る情報処理システムで読み取り可能なデータ処理プログラムの構成について説明する。
【０１７２】
図１３は、本実施形態に係る情報処理システムで読み取り可能な各種データ処理プログラムを格納する記憶媒体のメモリマップを説明する図である。なお、図６〜図８、図１２に示すフローチャートでは、説明の便宜上システム全体としての手順を示すが、もちろん、各デバイス毎のデータ処理プログラムとして構成することは可能である。
【０１７３】
つまり、図６〜図８、図１２において、第１の無線通信機器の処理と、第２の無線通信機器と、情報処理装置との処理とをそれぞれ独立したデータ処理プログラムとして構成してもよい。
【０１７４】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１７５】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１７６】
本実施形態における図６〜図８、図１２に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１７７】
以上のように、前述した実施形態の機能を実現するソフトウエアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、本発明の目的が達成されることは言うまでもない。
【０１７８】
この場合、記憶媒体から読み出されたプログラムコード自体が本発明の新規な機能を実現することになり、そのプログラムコードを記憶した記憶媒体は本発明を構成することになる。
【０１７９】
従って、プログラムの機能を有していれば、オブジェクトコード、インタプリタにより実行されるプログラム、ＯＳに供給するスクリプトデータ等、プログラムの形態を問わない。
【０１８０】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１８１】
この場合、記憶媒体から読出されたプログラムコード自体が前述した実施形態の機能を実現することになり、そのプログラムコードを記憶した記憶媒体は本発明を構成することになる。
【０１８２】
その他、プログラムの供給方法としては、クライアントコンピュータのブラウザを用いてインターネットのホームページに接続する。そして、該ホームページから本発明のコンピュータプログラムそのもの、もしくは、圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１８３】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【０１８４】
また、コンピュータが読み出したプログラムコードを実行することにより、前述した実施形態の機能が実現されるだけではない。例えばそのプログラムコードの指示に基づき、コンピュータ上で稼働しているＯＳ（オペレーティングシステム）等が実際の処理の一部または全部を行う。そして、その処理によって前述した実施形態の機能が実現される場合も含まれることは言うまでもない。
【０１８５】
さらに、記憶媒体から読み出されたプログラムコードが、コンピュータに挿入された機能拡張ボードやコンピュータに接続された機能拡張ユニットに備わるメモリに書き込ませる。その後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１８６】
本発明は上記実施形態に限定されるものではなく、本発明の趣旨に基づき種々の変形（各実施形態の有機的な組合せを含む）が可能であり、それらを本発明の範囲から排除するものではない。
【０１８７】
本発明の様々な例と実施形態を示して説明したが、当業者であれば、本発明の趣旨と範囲は、本明細書内の特定の説明に限定されるのではない。
【図面の簡単な説明】
【０１８８】
【図１】本発明の第１実施形態を示す情報処理装置、携帯情報端末を適用可能なデータ処理システムの構成を説明する図である。
【図２】図１に示した画像処理装置のハードウェア構成を示したブロック図である。
【図３】図２に示したカードリーダライタ部と通信可能な非接触ＩＤカードのハードウェア構成を示すブロック図である。
【図４】本実施形態を示す第２の無線通信機器の構成を説明するブロック図である。
【図５】本実施形態における第１の無線通信機器と第２の無線通信機器が統合された無線通信機器の構成を説明するブロック図である。
【図６】本発明の実施形態を示す情報処理システムにおける第１のデータ処理手順の一例を示すフローチャートである。
【図７】本発明の実施形態を示す情報処理システムにおけるデータ処理手順の一例を示すフローチャートである。
【図８】本発明の実施形態を示す情報処理システムにおけるデータ処理手順の一例を示すフローチャートである。
【図９】図１に示した画像処理装置の表示部に表示されるユーザインタフェースを説明する図である。
【図１０】図１に示した画像処理装置の表示部に表示されるユーザインタフェースを説明する図である。
【図１１】図１に示した画像処理装置の表示部に表示されるユーザインタフェースを説明する図である。
【図１２】本発明の実施形態を示す情報処理システムにおけるデータ処理手順の一例を示すフローチャートである。
【図１３】本発明に係る情報処理システムで読み取り可能な各種データ処理プログラムを格納する記憶媒体のメモリマップを説明する図である。
【符号の説明】
【０１８９】
２０１  コントローラ部
２０２  カードリーダライタ部
２０３  表示部
２０４  操作部
２０６  無線通信部
２０７  プリンタ部
２０８  スキャナ部
２１１  メモリ部
【図１】
2007267370.tif 000003
【図２】
2007267370.tif 000004
【図３】
2007267370.tif 000005
【図４】
2007267370.tif 000006
【図５】
2007267370.tif 000007
【図６】
2007267370.tif 000008
【図７】
2007267370.tif 000009
【図８】
2007267370.tif 000010
【図９】
2007267370.tif 000011
【図１０】
2007267370.tif 000012
【図１１】
2007267370.tif 000013
【図１２】
2007267370.tif 000014
【図１３】
2007267370.tif 000015